(57)【要約】【課題】コストダウンを図ることができると共に、発光材の劣化や発光材から放射される光の輝度の低下を防止できる点字部材及び誘導ブロックを提供する。【解決手段】透光材料で構成されかつ底面２ａに凹部４を設けた透光カバー材２と、透光材料中に蓄光顔料及び／又は蛍光顔料を分散させた発光材料で構成されかつ凹部４内に設けられた少なくとも１つの発光材３と、を備えた点字部材１。  複数の点字部材１をシート材２２上に並設した誘導ブロック２１。【選択図】図１
2009127302.tif 000002
【特許請求の範囲】
【請求項１】
透光材料で構成されかつ底面に凹部を設けた透光カバー材と、
透光材料中に蓄光顔料及び／又は蛍光顔料を分散させた発光材料で構成されかつ前記凹部内に設けられた少なくとも１つの発光材と、
を備えたことを特徴とする点字部材。
【請求項２】
前記凹部に下端面が前記透光カバー材の底面と面一となるように下方へ突出する少なくとも１つの突出部を設けた請求項１記載の点字部材。
【請求項３】
前記発光材に上下方向に貫通する少なくとも１つの貫通孔を設け、
前記貫通孔又は前記突出部の周面に少なくとも１つの固定用凸部を突設し、
前記突出部を前記発光材及び／又は前記突出部の弾性力に抗して前記貫通孔に挿入することにより前記凹部に前記発光材を固定した請求項２記載の点字部材。
【請求項４】
前記発光材の底面における少なくとも前記固定用凸部の近傍に切欠部を設けた請求項３記載の点字部材。
【請求項５】
前記凹部内に台材を設け、
この台材上に前記発光材を設けた請求項１記載の点字部材。
【請求項６】
前記発光材を基材上に積層した少なくとも１つの発光シートを、前記発光材を上方に向けて前記台材上に載置した請求項５記載の点字部材。
【請求項７】
前記発光材を基材上に積層しかつ粘着剤を前記基材の下に積層した少なくとも１つの発光シールを前記台材上に貼り付けた請求項５記載の点字部材。
【請求項８】
前記凹部に下端面が前記透光カバー材の底面と面一となるように下方へ突出する少なくとも１つの突出部を設け、
前記台材に上下方向に貫通する少なくとも１つの貫通孔を設け、
前記貫通孔又は前記突出部の周面に少なくとも１つの固定用凸部を突設し、
前記突出部を前記台材及び／又は前記突出部の弾性力に抗して前記貫通孔に挿入することにより前記凹部に前記台材を固定した請求項５から７のいずれか記載の点字部材。
【請求項９】
前記台材の底面における少なくとも前記固定用凸部の近傍に切欠部を設けた請求項８記載の点字部材。
【請求項１０】
前記透光カバー材の設置面上への載置時に露出する露出表面に複数の滑り止め用凸部又は滑り止め用凹部を互いに間隔を開けて設けた請求項１から９のいずれか記載の点字部材。
【請求項１１】
請求項１から１０のいずれか記載の複数の点字部材をシート材上に並設したことを特徴とする誘導ブロック。
【請求項１２】
前記シート材が和紙である請求項１１記載の誘導ブロック。
【請求項１３】
請求項１から１０のいずれか記載の複数の点字部材を、シート状に形成されたシート部の面方向に並べた状態で、前記透光カバー材の底面が前記シート部の下面と面一となるように、前記透光カバー材を少なくとも前記シート部と一体化したことを特徴とする誘導ブロック。
【請求項１４】
請求項１３記載の誘導ブロックを下地シート材上に貼り付けた誘導ブロック。
【発明の詳細な説明】
【技術分野】
【０００１】
本発明は、視覚障害者を安全に誘導するために歩道、駅構内、公共施設内、ビル内等に設置される誘導ブロック、及びそれに用いられる点字部材に関するものである。
【背景技術】
【０００２】
従来のこの種の技術としては、〔１〕視覚障害者用の誘導マーカーに用いられ、樹脂によって形成された視覚障害者用点字鋲であって、含有比率が１０〜１５質量％の蓄光顔料と、含有比率が５質量％以下の色顔料とを含み、かつ、残部が樹脂であることを特徴とする視覚障害者用点字鋲が知られている（例えば、特許文献１参照。）。
【特許文献１】特開２００５−１６１７０号公報（請求項１、図１、図２等）
【０００３】
〔２〕プレートの表面に点字用凸部を有する誘導ブロックにおいて、前記点字用凸部の中央部分の１０〜９０％が、蓄光剤を１〜２０％含有するゴム又は樹脂からなる畜光部分であり、それ以外の部分がゴム又は樹脂からなる補強部分である誘導ブロックも知られている（例えば、特許文献２参照。）。
【特許文献２】特開２００６−２１９９３１号公報（請求項１、図１、図２等）
【発明の開示】
【発明が解決しようとする課題】
【０００４】
しかし、上記〔１〕の視覚障害者用点字鋲においては、高価な蓄光顔料を多く必要とするので、コスト高であるという問題点がある。
【０００５】
上記〔２〕の誘導ブロックにおいては、点字用凸部の畜光部分の天面が露出しているので、実使用の際、雨水等により蓄光部分が劣化し易いという問題点がある。また、歩行者、自転車、自動車等の通行によって蓄光部分の天面に傷が付き易く、この傷によって蓄光部分から放射される光の輝度が低下し易いという問題点がある。
【０００６】
本発明は、以上のような事情や問題点に鑑みてなされたものであり、コストダウンを図ることができると共に、発光材の劣化や発光材から放射される光の輝度の低下を防止できる点字部材及び誘導ブロックを提供することを目的とする。
【課題を解決するための手段】
【０００７】
上記目的を達成するための第１の発明に係る点字部材は、透光材料で構成されかつ底面に凹部を設けた透光カバー材と、透光材料中に蓄光顔料及び／又は蛍光顔料を分散させた発光材料で構成されかつ前記凹部内に設けられた少なくとも１つの発光材と、を備えたものである。
【０００８】
第２の発明に係る点字部材は、前記凹部に下端面が前記透光カバー材の底面と面一となるように下方へ突出する少なくとも１つの突出部を設けたものである。
【０００９】
第３の発明に係る点字部材は、前記発光材に上下方向に貫通する少なくとも１つの貫通孔を設け、前記貫通孔又は前記突出部の周面に少なくとも１つの固定用凸部を突設し、前記突出部を前記発光材及び／又は前記突出部の弾性力に抗して前記貫通孔に挿入することにより前記凹部に前記発光材を固定したものである。
【００１０】
第４の発明に係る点字部材は、前記発光材の底面における少なくとも前記固定用凸部の近傍に切欠部を設けたものである。
【００１１】
第５の発明に係る点字部材は、前記凹部内に台材を設け、この台材上に前記発光材を設けたものである。
【００１２】
第６の発明に係る点字部材は、前記発光材を基材上に積層した少なくとも１つの発光シートを、前記発光材を上方に向けて前記台材上に載置したものである。
【００１３】
第７の発明に係る点字部材は、前記発光材を基材上に積層しかつ粘着剤を前記基材の下に積層した少なくとも１つの発光シールを前記台材上に貼り付けたものである。
【００１４】
第８の発明に係る点字部材は、前記凹部に下端面が前記透光カバー材の底面と面一となるように下方へ突出する少なくとも１つの突出部を設け、前記台材に上下方向に貫通する少なくとも１つの貫通孔を設け、前記貫通孔又は前記突出部の周面に少なくとも１つの固定用凸部を突設し、前記突出部を前記台材及び／又は前記突出部の弾性力に抗して前記貫通孔に挿入することにより前記凹部に前記台材を固定したものである。
【００１５】
第９の発明に係る点字部材は、前記台材の底面における少なくとも前記固定用凸部の近傍に切欠部を設けたものである。
【００１６】
第１０の発明に係る点字部材は、前記透光カバー材の設置面上への載置時に露出する露出表面に複数の滑り止め用凸部又は滑り止め用凹部を互いに間隔を開けて設けたものである。
【００１７】
また、第１１の発明に係る誘導ブロックは、第１〜第１０のいずれかの発明に係る複数の点字部材をシート材上に並設したものである。
【００１８】
第１２の発明に係る誘導ブロックは、前記シート材を和紙としたものである。
【００１９】
第１３の発明に係る誘導ブロックは、第１〜第１０のいずれかの発明に係る複数の点字部材を、シート状に形成されたシート部の面方向に並べた状態で、前記透光カバー材の底面が前記シート部の下面と面一となるように、前記透光カバー材を少なくとも前記シート部と一体化したものである。
【００２０】
第１４の発明に係る誘導ブロックは、第１３の発明に係る誘導ブロックを下地シート材上に貼り付けたものである。
【発明の効果】
【００２１】
第１、第１１、及び第１３の発明によれば、蓄光顔料及び／又は蛍光顔料を発光材だけに含有させておけばよいので、コストダウンを図ることができる。また、発光材が透光カバー材の凹部内に設けられているので、実使用の際に発光材が劣化しにくいと共に、夜間では透光カバー材を透して発光材による発光を視認することができる。更に、凹部内に設けられた発光材には実使用の際に傷が付かないので、発光材から放射される光の輝度の低下を防止することができる。
【００２２】
第２の発明によれば、突出部の存在により、実使用において点字部材に荷重がかかる際に透光カバー材を下方へたわみにくくできるので、凹部内に設けられた発光材の破損、ひび割れ、剥離、剥落等を防止することができる。
【００２３】
第３の発明によれば、固定用凸部の存在により、透光カバー材の突出部を発光材及び／又は突出部の弾性力に抗して貫通孔に挿入できるので、発光材を凹部に簡単に固定することができる。
【００２４】
第４の発明によれば、発光材における切欠部の内側の部分を外側にたわみ易くできるので、突出部を貫通孔によりスムーズに挿入することができる。
【００２５】
第５の発明によれば、台材上に発光材を設けているので、発光材を落下のおそれなく凹部内の所定高さに支持することができる。
【００２６】
第６の発明によれば、発光材を基材上に積層した発光シートを台材上に載置するだけでよいので、点字部材を簡単に製造することができる。
【００２７】
第７の発明によれば、台材上に発光シールをあらかじめ貼り付けておくことができるので、台材を透光カバー材の凹部に固定する際に発光シールが台材から脱落するおそれがない。
【００２８】
第８の発明によれば、固定用凸部の存在により、透光カバー材の突出部を台材及び／又は突出部の弾性力に抗して貫通孔に挿入できるので、台材を凹部に簡単に固定することができる。
【００２９】
第９の発明によれば、台材における切欠部の内側の部分を外側にたわみ易くできるので、突出部を貫通孔によりスムーズに挿入することができる。
【００３０】
第１０の発明によれば、複数の滑り止め用凸部又は滑り止め用凹部の存在により、実使用において、点字部材上を通行する際の滑りを防止することができる。
【００３１】
第１１の発明によれば、視覚障害者は、シート材上の複数の点字部材を白杖等で触擦することにより安全に誘導される。健常者にとっては、夜間において、複数の点字部材の透光カバー材を透して発光材による発光を視認できるので、誘導ブロックが表す意味を把握することができる。
【００３２】
第１２の発明によれば、シート材が安価な和紙であるので、誘導ブロックのコストダウンを更に図ることができると共に、設置面上に塗布された塗料、モルタル等の塗材に誘導ブロックのシート材を埋設する場合に塗材がシート材に含浸し易い。
【００３３】
第１３の発明によれば、視覚障害者は、誘導ブロックにおける複数の点字部材を白杖等で触擦することにより安全に誘導される。健常者にとっては、夜間において、複数の点字部材の透光カバー材を透して発光材による発光を視認できるので、誘導ブロックが表す意味を把握することができる。また、複数の点字部材の透光カバー材が少なくともシート部と一体化されているので、点字部材が誘導ブロックから脱落するおそれがない。
【００３４】
第１４の発明によれば、下地シート材の存在により、誘導ブロック全体の強度向上を図ることができると共に、発光材の誘導ブロックからの脱落を防止することができる。
【発明を実施するための最良の形態】
【００３５】
〔第１実施形態〕
以下、本発明の実施形態を図面に基づいて説明する。
第１実施形態に係る点字部材１は、図１〜図４に示すように、透光カバー材２と発光材３とを備えたものである。
【００３６】
透光カバー材２は、透光材料で構成されており、図３及び図４に示すように、平面視が円状でかつ縦断面形状が略台形状に形成されている。この透光カバー材２の底面２ａには、横断面形状が円状でかつ縦断面形状が凹状の凹部４が設けられている。凹部４の天井面４ａの周囲には、斜面４ｂが形成されている。この斜面４ｂは必須のものではないが、斜面４ｂを形成しておけば、凹部４の天井面４ａの周囲への応力集中による透光カバー材２の破断を防止することができる。なお、透光カバー材２の縦断面形状は、略円弧状等であってもよい。凹部４の横断面形状は楕円状、多角形状等であってもよいし、凹部４の縦断面形状は略円弧状等であってもよい。
【００３７】
透光材料としては、透光性合成樹脂、透光性ゴム、透光性セラミック等が挙げられる。ここでいう透光とは、透明又は半透明であることをいう。
【００３８】
透光性合成樹脂としては、ポリメタクリル酸メチル（ＰＭＭＡ）、ポリカーボネート等が挙げられる。透光性ゴムとしては、ウレタンゴム、シリコーンゴム等が挙げられる。透光性セラミックとしては、ケイ酸塩ガラス等が挙げられる。
【００３９】
発光材３は、母材（マトリックス）としての上記と同様の透光材料中に蓄光顔料と蛍光顔料の少なくともいずれかを適宜の割合で分散させた発光材料で構成されている。この発光材３は、透光カバー材２の凹部４の形状に合わせて円板状に形成されており、凹部４に嵌着することにより固定されている。なお、発光材３は、超音波溶着、透光性接着剤による接着等によって凹部４に固定してもよい。
【００４０】
蓄光顔料としては、アルミン酸塩系蓄光顔料、硫化亜鉛系蓄光顔料等が挙げられる。この蓄光顔料は、太陽光又は人工光の光エネルギーを吸収・蓄積して燐光（りんこう、phosphorescence）を発する。
【００４１】
蛍光顔料としては、アクリル樹脂系蛍光顔料等が挙げられる。この蛍光顔料は、紫外線又は可視光線の照射によって蛍光を発する。
【００４２】
透光カバー材２に入射する光は、透光カバー材２を透過して発光材３に照射される。発光材３に照射された光は、発光材３の母材としての透光材料を透過し、この透光材料中に分散した蓄光顔料及び／又は蛍光顔料に照射される。発光材３は、蓄積顔料からの燐光及び／又は蛍光顔料からの蛍光によって発光する。発光材３から放射された光は、透光カバー材２を透過する。
【００４３】
上記のように構成された点字部材１によれば、蓄光顔料及び／又は蛍光顔料を発光材３だけに含有させておけばよいので、コストダウンを図ることができるという利点がある。また、発光材３が透光カバー材２の凹部４内に設けられているので、実使用の際に発光材３が劣化しにくいと共に、夜間では透光カバー材２を透して発光材３による発光を視認できるという利点がある。更に、凹部４内に設けられた発光材３には実使用の際に傷が付かないので、発光材３から放射される光の輝度の低下を防止できるという利点がある。
【００４４】
〔第２実施形態〕
第２実施形態に係る誘導ブロック２１は、図５及び図６に示すように、「注意」を表す点状ブロックであって、第１実施形態の複数の点字部材１をシート材２２上に並設したものである。
【００４５】
シート材２２は、合成樹脂、ゴム、セラミック、又は紙等で構成されており、正方形状に形成されている。このシート材２２は例えば「３００ｍｍ×３００ｍｍ×１ｍｍ」に形成できるが、シート材２２の大きさ、厚さ、形状、材質は特に限定されるものではない。
【００４６】
シート材２２上には２５個の点字部材１がシート材２２の面方向における行方向（図５の横方向）及び列方向（図５の縦方向）に互いに数十ｍｍの間隔を開けて「５行×５列」に配置されており、各点字部材１はシート材２２に接着剤により接着されている。
【００４７】
なお、点字部材１は、超音波溶着等によってシート材２２上に固定してもよい。誘導ブロック２１が表す意味は「注意」に限定されるものではなく、誘導ブロック２１が表す意味に応じて点字部材１の使用個数、配置形式、相互間隔等を設定することができる。そのため、点字部材１の使用個数は、２４個以下又は２６個以上であってもよい。また、複数の点字部材１と共に、透光カバー材２の凹部４内に発光材３を設けていない複数の点字部材、透光カバー材２にそもそも凹部４を形成しないで発光材３を設けていない複数の点字部材、又は、従来公知の複数の点字部材を、シート材２２上に適宜の配置形式及び相互間隔で並設してもよい。
【００４８】
上記のように構成された誘導ブロック２１の実使用に際しては、歩道、駅構内、公共施設内、ビル内等における設置面上に、点字部材１を上方に向けた状態で誘導ブロック２１を載置する。誘導ブロック２１においては、点字部材１を使用しているので、第１実施形態と同様の利点がある。視覚障害者は、シート材２２上の複数の点字部材１を白杖等で触擦することにより安全に誘導される。健常者にとっては、夜間において、複数の点字部材１の透光カバー材２を透して発光材３による発光を視認できるので、誘導ブロック２１が表す「注意」等の意味を把握できるという利点がある。
【００４９】
ここで、シート材２２が安価な和紙である場合は、誘導ブロック２１のコストダウンを更に図ることができると共に、設置面上に塗布された塗料、モルタル等の塗材に誘導ブロック２１のシート材２２を埋設する場合に塗材がシート材２２に含浸し易いという利点がある。
【００５０】
〔第３実施形態〕
第３実施形態に係る点字部材３１は、図７〜図９に示すように、第１実施形態と同様に構成されているが、第１実施形態とは形状が異なる透光カバー材２及び発光材３を備えたものである。
【００５１】
透光カバー材２は、平面視が長方形状で、かつ長手方向の縦断面形状及び短手方向の縦断面形状が略台形状に形成されている。この透光カバー材２の底面２ａには、横断面形状が長方形状でかつ縦断面形状が凹状の凹部４が設けられている。凹部４の天井面４ａの周囲には、図７及び図８に示すように、応力集中による透光カバー材２の破断を防止するための斜面４ｂが形成されている。なお、透光カバー材２の長手方向の縦断面形状及び／又は短手方向の縦断面形状は、略円弧状等であってもよい。凹部４の横断面形状は楕円状、多角形状等であってもよいし、凹部４の縦断面形状は略円弧状等であってもよい。
【００５２】
発光材３は、透光カバー材２の凹部４の形状に合わせて長方形の板状に形成されており、凹部４に嵌着することにより固定されている。なお、発光材３は、超音波溶着、透光性接着剤による接着等によって凹部４に固定してもよい。
【００５３】
上記のように構成された点字部材２１は、第１実施形態と同様に構成されているので、第１実施形態と同様の利点を有している。
【００５４】
〔第４実施形態〕
第４実施形態に係る誘導ブロック４１は、図１０〜図１２に示すように、「進行方向」を表す線状ブロックであって、第２実施形態において、点字部材１の代わりに端部用の第３実施形態の複数の点字部材３１及びこれらと同様に構成された中間部用の複数の点字部材３２を使用したものである。
【００５５】
端部用の点字部材３１においては、図７に示すように、透光カバー材２の長手方向の一端部における斜面２ｃと底面２ａとのなす角度が略７５°とされており、長手方向の他端部における斜面２ｄと底面２ａとのなす角度が略４５°とされている。
【００５６】
中間部用の点字部材３２においては、図１２に示すように、前記一端部における斜面２ｃと底面２ａとのなす角度、及び前記他端部における斜面２ｄと底面２ａとのなす角度が略７５°とされている。
【００５７】
シート材２２の面方向における行方向（図１０の横方向）においては、端部用の複数の点字部材３１が互いに数十ｍｍの間隔を開けて配置されていると共に、中間部用の複数の点字部材３２が互いに数十ｍｍの間隔を開けて配置されている。
【００５８】
シート材２２の面方向における列方向（図１０の縦方向）においては、端部用の２つの点字部材３１が、前記一端部の斜面２ｃ同士が間隔を開けて対向するように配置されていると共に、中間部用の点字部材３２が前記２つの点字部材３１の間にこれらと隣接した状態で配置されている。
【００５９】
シート材２２上には端部用の８個の点字部材３１及び中間部用の４個の点字部材３２が「３行×４列」に配置されており、各点字部材３１、３２はシート材２２に接着剤により接着されている。
【００６０】
なお、点字部材３１、３２は、超音波溶着等によってシート材２２上に固定してもよい。誘導ブロック４１が表す意味は「進行方向」に限定されるものではなく、誘導ブロック４１が表す意味に応じて点字部材３１、３２の使用個数、配置形式、相互間隔等を設定することができる。そのため、端部用の点字部材３１の使用個数は７個以下又は９個以上であってもよいし、中間部用の点字部材３２の使用個数は３個以下又は５個以上であってもよい。
【００６１】
ここで、この実施形態のように、中間部用の点字部材３２を端部用の２つの点字部材３１の間にこれらと隣接した状態で配置し、すなわち、端部用の点字部材３１の前記一端部における斜面２ｃと底面２ａとのなす角度、中間部用の点字部材３２の前記一端部における斜面２ｃと底面２ａとのなす角度、及び中間部用の点字部材３２の前記他端部における斜面２ｄと底面２ａとのなす角度を、４５°を超えかつ９０°未満としておけば、端部用の点字部材３１と中間部用の点字部材３２との間に形成される溝の幅をより小さくすることができる。また、端部用の点字部材３１の前記一端部における端面と底面２ａとのなす角度、中間部用の点字部材３２の前記一端部における端面と底面２ａとのなす角度、及び中間部用の点字部材３２の前記他端部における端面と底面２ａとのなす角度を９０°としておけば、溝が形成されることなく端部用の点字部材３１と中間部用の点字部材３２とを突き合わせることができる。
【００６２】
なお、端部用の２つの点字部材３１の間には、シート材２２の面方向における列方向（図１０の縦方向）に沿って中間部用の複数の点字部材３２を隣接するように配置してもよい。また、複数の点字部材３１、３２と共に、透光カバー材２の凹部４内に発光材３を設けていない複数の点字部材、透光カバー材２にそもそも凹部４を形成しないで発光材３を設けていない複数の点字部材、又は、従来公知の複数の点字部材を、シート材２２上に適宜の配置形式及び相互間隔で並設してもよい。更に、端部用の点字部材３１及び中間部用の点字部材３２の代わりに、前記一端部における斜面２ｃと底面２ａとのなす角度、及び前記他端部における斜面２ｄと底面２ａとのなす角度を４５°以下とした点字部材を使用してもよい。
【００６３】
上記のように構成された誘導ブロック４１の実使用に際しては、歩道、駅構内、公共施設内、ビル内等における設置面上に、点字部材３１、３２を上方に向けた状態で誘導ブロック４１を載置する。誘導ブロック４１においては、点字部材３１、３２を使用しているので、第３実施形態と同様の利点がある。視覚障害者は、シート材２２上の複数の点字部材３１、３２を白杖等で触擦することにより安全に誘導される。健常者にとっては、夜間において、複数の点字部材３１、３２の透光カバー材２を透して発光材３による発光を視認できるので、誘導ブロック４１が表す「進行方向」等の意味を把握できるという利点がある。
【００６４】
〔第５実施形態〕
第５実施形態に係る点字部材５１は、図１３に示すように、第１実施形態において、透光カバー材２の設置面上への載置時に露出する露出表面２ｂに縦断面形状が半円状の複数の滑り止め用凸部５２を互いに間隔を開けて設けたものである。
【００６５】
なお、滑り止め用凸部５２の縦断面形状は、円弧状等であってもよい。透光カバー材２の露出表面２ｂには、滑り止め用凸部５２の代わりに、縦断面形状が半円状又は円弧状等に形成された複数の滑り止め用凹部（不図示）を互いに間隔を開けて設けてもよい。滑り止め用凸部５２又は滑り止め用凹部を設ける範囲は、透光カバー材２の露出表面２ｂの全面でもよいし、一部だけでもよい。また、この実施形態に記載した技術は、第１実施形態の他、第２実施形態〜第４実施形態に記載した技術に適用することもできる。
【００６６】
上記のように構成された点字部材５１によれば、第１実施形態と同様の利点の他、実使用において、点字部材５１上を通行する際の滑りを防止できるという利点がある。
【００６７】
〔第６実施形態〕
第６実施形態に係る点字部材６１は、図１４及び図１５に示すように、第１実施形態において、透光カバー材２の凹部４の天井面４ａに下端面６２ａが透光カバー材２の底面２ａと面一となるように下方へ突出する突出部６２を設けたものである。
【００６８】
突出部６２は、図１４〜図１６に示すように、凹部４の天井面４ａの中心に円柱状に突設されている。発光材３の中心には、図１５及び図１７に示すように、上下方向に貫通する貫通孔６３が設けられている。この発光材３は、図１４及び図１５に示すように、透光カバー材２の突出部６２を貫通孔６３に挿入し、凹部４に嵌着することにより固定されている。
【００６９】
なお、発光材３は、超音波溶着、透光性接着剤による接着等によって凹部４に固定してもよい。突出部６２は、凹部４の適宜の位置に適宜の横断面形状で複数個突設してもよい。複数の突出部６２を突設する場合は、それらの突設位置や横断面形状に合わせて複数の貫通孔６３を発光材３に設けておけばよい。また、この実施形態に記載した技術は、第１実施形態の他、第２実施形態〜第５実施形態に記載した技術に適用することもできる。
【００７０】
上記のように構成された点字部材６１によれば、第１実施形態と同様の利点の他、実使用において点字部材６１に荷重がかかる際に突出部６２の存在により透光カバー材２を下方へたわみにくくできるので、凹部４内に設けられた発光材３の破損等を防止できるという利点がある。
【００７１】
〔第７実施形態〕
第７実施形態に係る点字部材７１は、図１８に示すように、第６実施形態において、発光材３の代わりに、透光カバー材２の凹部４の天井面４ａに発光材７３を設けたものである。
【００７２】
発光材７３は、透光性塗料（透光材料）中に蓄光顔料と蛍光顔料の少なくともいずれかを適宜の割合で分散させた発光塗料（発光材料）で構成されており、凹部４の天井面４ａに塗布されている。
【００７３】
塊状（バルク状）の発光材３の場合と同様、透光カバー材２に入射する光は、透光カバー材２を透過して発光材７３に照射される。発光材７３に照射された光は、発光材７３の母材としての透光塗料を透過し、この透光塗料中に分散した蓄光顔料及び／又は蛍光顔料に照射される。発光材７３は、蓄積顔料からの燐光及び／又は蛍光顔料からの蛍光によって発光する。発光材７３から放射された光は、透光カバー材２を透過する。
【００７４】
なお、発光材７３の塗布範囲は、凹部４の全面でもよいし、天井面４ａ等の凹部４の一部でもよい。発光材７３は、密着力を向上させるための適宜のプライマー（下塗塗料）を凹部４に塗布してから塗布してもよい。また、この実施形態に記載した技術は、第６実施形態の他、第１実施形態〜第５実施形態に記載した技術に適用することもできる。
【００７５】
上記のように構成された点字部材７１によれば、第１実施形態と同様の利点の他、実使用において点字部材７１に荷重がかかる際に突出部６２の存在により透光カバー材２を下方へたわみにくくできるので、凹部４内に設けられた発光材７３のひび割れ、剥離、剥落等を防止できるという利点がある。
【００７６】
〔第８実施形態〕
第８実施形態に係る誘導ブロック８１は、図１９に示すように、第２実施形態のような「注意」を表す点状ブロックであって、誘導ブロック８２を下地シート材８３上に貼り付けたものである。
【００７７】
誘導ブロック８２は、第６実施形態において、複数の点字部材６１をシート部８４の面方向に並べた状態で、透光カバー材２の底面２ａがシート部８４の下面８４ａと面一となるように、透光カバー材２をシート部８４と一体化したものである。
【００７８】
シート部８４は、シート状に形成されており、複数の点字部材６１の透光カバー材２と一体成形されている。
【００７９】
誘導ブロック８２は、正方形状に形成されている。この誘導ブロック８２の大きさは例えば「３００ｍｍ×３００ｍｍ」に形成でき、シート部８４の厚さは例えば「１ｍｍ」に形成できるが、誘導ブロック８２の大きさ、形状、材質や、シート部８４の厚さは特に限定されるものではない。
【００８０】
誘導ブロック８２においては、２５個の点字部材６１がシート部８４の面方向における行方向（図１９の横方向）及び列方向（図１９の紙面に対して直角方向）に互いに数十ｍｍの間隔を開けて「５行×５列」に配置されている。誘導ブロック８２は、下地シート材８３上に接着剤により接着されている。
【００８１】
なお、誘導ブロック８２は、超音波溶着等によって下地シート材８３上に貼り付けてもよい。誘導ブロック８２が表す意味は「注意」に限定されるものではなく、誘導ブロック８２が表す意味に応じて点字部材６１の配置個数、配置形式、相互間隔等を設定することができる。そのため、点字部材６１の配置個数は、２４個以下又は２６個以上であってもよい。また、複数の点字部材６１と共に、透光カバー材２の凹部４内に発光材３を設けていない複数の点字部材、又は、透光カバー材２にそもそも凹部４を形成しないで発光材３を設けていない複数の点字部材を、シート部８４の面方向に適宜の配置形式及び相互間隔で並べた状態で、シート部８４と一体化してもよい。
【００８２】
下地シート材８３は必須のものではないが、誘導ブロック８２を下地シート材８３上に貼り付けておけば、誘導ブロック８２全体の強度向上を図ることができると共に、下地シート材８３の存在により発光材３の誘導ブロック８２からの脱落を防止できるという利点がある。
【００８３】
更に、この実施形態に記載した技術は、第６実施形態の他、第１実施形態、第３実施形態、第５実施形態、及び第７実施形態に記載した技術に適用することもできる。この実施形態に記載した技術を第３実施形態に記載した技術に適用する場合は、点字部材６１の代わりに第３実施形態の点字部材３１、３２を使用し、第４実施形態のような「進行方向」を表す線状ブロックとしての誘導ブロックを構成することができる。この場合、第４実施形態と同様に配置された複数の点字部材３１、３２の透光カバー材２は、シート部８４、及び隣接する点字部材３１、３２の透光カバー材２と一体化すればよい。
【００８４】
上記のように構成された誘導ブロック８１の実使用に際しては、歩道、駅構内、公共施設内、ビル内等における設置面上に、下地シート材８３を下方に向けた状態で誘導ブロック８１を載置する。誘導ブロック８１における誘導ブロック８２においては、複数の点字部材６１を使用しているので、第６実施形態と同様の利点がある。視覚障害者は、誘導ブロック８２における複数の点字部材６１を白杖等で触擦することにより安全に誘導される。健常者にとっては、夜間において、複数の点字部材６１の透光カバー材２を透して発光材３による発光を視認できるので、誘導ブロック８２が表す「注意」等の意味を把握できるという利点がある。また、複数の点字部材６１の透光カバー材２がシート部８４と一体化されているので、点字部材６１が誘導ブロック８２から脱落するおそれがないという利点がある。
【００８５】
〔第９実施形態〕
第９実施形態に係る点字部材９１は、図２０〜図２３に示すように、第６実施形態において、発光材３の代わりに透光カバー材２の凹部４内に台材９２を設け、この台材９２上に発光シート９３の基材９４を介して発光材９５を設けたものである。
【００８６】
凹部４の中心部の縦断面形状は、図２３に示すように、上方に凹んだ凹状に形成されており、天井面４ａの内側に更に上方天井面４ｃが設けられている。上方天井面４ｃの中心には、下端面６２ａが透光カバー材２の底面２ａと面一となるように下方へ突出する突出部６２が設けられている。上方天井面４ｃの周囲には、応力集中による透光カバー材２の破断を防止するための斜面４ｄが形成されている。
【００８７】
台材９２は、図２３〜図２５に示すように、円板状に形成された台部９６と、この台部９６の中心に上方へ突出するように設けられた凸部９７とを備えている。この台材９２の中心には上下方向に貫通する貫通孔６３が設けられており、この貫通孔６３の下部には２つの固定用凸部９８が対向するように突設されている。台材９２の材質としては、合成樹脂、ゴム、セラミック等が挙げられ、透光性の有無は問わない。
【００８８】
発光材９５は、透光性インク（透光材料）中に蓄光顔料と蛍光顔料の少なくともいずれかを分散させた発光インク（発光材料）で構成されている。発光シート９３は、図２３に示すように、環状の基材９４と、その上に積層された発光材９５とを備えている。この発光シート９３は、図２０及び図２３に示すように、発光材９５を上方に向けて台材９２の台部９６上に載置されている。
【００８９】
台材９２は、透光カバー材２の突出部６２を台材９２と突出部６２の少なくともいずれかの弾性力に抗して貫通孔６３に挿入することにより凹部４に固定されている。なお、台材９２は、超音波溶着、透光性接着剤による接着等によって凹部４に固定してもよいが、貫通孔６３に固定用凸部９８を突設しておけば、台材９２を凹部４に簡単に固定できるという利点がある。固定用凸部９８は突出部６２の周面に突設してもよく、固定用凸部９８の数も１つ又は３つ以上であってもよい。
【００９０】
ここで、この実施形態のように、台材９２の底面９２ａにおける少なくとも固定用凸部９８の近傍に切欠部９９を設けておけば、台材９２における切欠部９９の内側の部分を外側にたわみ易くできるので、突出部６２を貫通孔６３によりスムーズに挿入できるという利点がある。切欠部９９は、この実施形態では貫通孔６３の外側に環状に形成されているが、これに限定されるものではなく、適宜の形状の切欠部９９を固定用凸部９８の近傍にその数に合わせて設けてもよい。
【００９１】
上記のように構成された点字部材９１によれば、台材９２上に発光材９５を設けているので、発光材９５を落下のおそれなく凹部４内の所定高さに支持できるという利点がある。また、発光材９５を基材９４上に積層した発光シート９３を台材９２上に載置するだけでよいので、点字部材９１を簡単に製造できるという利点がある。更に、凹部４に突出部６２を設けておけば、実使用において点字部材９１に荷重がかかる際に突出部６２の存在により透光カバー材２を下方へたわみにくくできるので、凹部４内に設けられた発光材９５の破損等を防止できるという利点がある。
【００９２】
なお、突出部６２は、凹部４の適宜の位置に適宜の横断面形状で複数個突設してもよい。複数の突出部６２を突設する場合は、それらの突設位置や横断面形状に合わせて複数の貫通孔６３を台材９２に設けておけばよい。また、この実施形態に記載した技術は、第６実施形態の他、第１実施形態、第２実施形態、第５実施形態、及び第８実施形態に記載した技術に適用することもできる。更に、発光シート９３の代わりに、第７実施形態のような発光塗料で構成された発光材７３を台材９２上に塗布してもよい。発光塗料で構成された発光材７３は、密着力を向上させるための適宜のプライマーを台材９２上に塗布してから塗布してもよい。
【００９３】
更に、図２６に示すように、環状の基材９４と、その上に積層された発光材９５と、基材９４の下に積層された粘着剤１００とを備えた発光シール９３Ｂを台材９２上に貼り付けてもよい。台材９２上に発光シール９３Ｂをあらかじめ貼り付けておけば、台材９２を透光カバー材２の凹部４に固定する際に発光シール９３Ｂが台材９２から脱落するおそれがないという利点がある。
【００９４】
〔第１０実施形態〕
第１０実施形態に係る誘導ブロック１０１は、図２７に示すように、第２実施形態のような「注意」を表す点状ブロックであって、第２実施形態において、点字部材２１の代わりに第９実施形態の複数の点字部材９１をシート材２２上に並設したものである。
【００９５】
上記のように構成された誘導ブロック１０１においては、点字部材９１を使用して第２実施形態と同様に構成されているので、第９実施形態及び第２実施形態と同様の利点がある。
【００９６】
なお、複数の点字部材９１と共に、透光カバー材２の凹部４内に台材９２及び発光材３等を設けていない複数の点字部材、透光カバー材２にそもそも凹部４を形成しないで台材９２及び発光材３等を設けていない複数の点字部材、又は、従来公知の複数の点字部材を、シート材２２上に適宜の配置形式及び相互間隔で並設してもよい。その他、必要に応じて、第９実施形態及び第２実施形態に記載した技術をこの実施形態に記載した技術に適用することもできる。
【００９７】
〔第１１実施形態〕
第１１実施形態に係る点字部材１１１は、図２８及び図２９に示すように、第９実施形態に記載した技術を第３実施形態に記載した技術に適用したものであり、第３実施形態において、発光材３の代わりに透光カバー材２の凹部４内に台材９２を設け、この台材９２上に発光シート９３の基材９４を介して発光材９５を設けたものである。
【００９８】
凹部４の中央部の縦断面形状は、図２８に示すように、上方に凹んだ凹状に形成されており、天井面４ａの内側に更に上方天井面４ｃが設けられている。上方天井面４ｃの中央には、図２８及び図３０に示すように、下端面６２ａが透光カバー材２の底面２ａと面一となるように下方へ突出しかつ透光カバー材２の長手方向に沿って延びる突出部６２が設けられている。上方天井面４ｃの周囲には、応力集中による透光カバー材２の破断を防止するための斜面４ｄが形成されている。
【００９９】
台材９２は、図２８及び図３１に示すように、長方形の板状に形成された台部９６と、この台部９６の中央に上方へ突出しかつ台部９６の長手方向に沿って延びるように設けられた凸部９７とを備えている。この台材９２の中央には上下方向に貫通する貫通孔６３が設けられており、この貫通孔６３の下部には４つの固定用凸部９８が２つずつ対向するように突設されている。
【０１００】
発光シート９３は、図２８及び図２９に示すように、長方形状の基材９４と、その上に積層された発光材９５とを備えている。台材９２の台部９６上には、２つの発光シート９３が発光材９５を上方に向けて載置されている。
【０１０１】
台材９２は、透光カバー材２の突出部６２を台材９２と突出部６２の少なくともいずれかの弾性力に抗して貫通孔６３に挿入することにより凹部４に固定されている。なお、台材９２は、超音波溶着、透光性接着剤による接着等によって凹部４に固定してもよいが、貫通孔６３に固定用凸部９８を突設しておけば、台材９２を凹部４に簡単に固定できるという利点がある。固定用凸部９８は突出部６２の周面に突設してもよく、固定用凸部９８の数も３つ以下又は５つ以上であってもよい。
【０１０２】
なお、突出部６２は、凹部４の適宜の位置に適宜の横断面形状で複数個突設してもよい。複数の突出部６２を突設する場合は、それらの突設位置や横断面形状に合わせて複数の貫通孔６３を台材９２に設けておけばよい。また、この実施形態に記載した技術は、第３実施形態の他、第４実施形態、第５実施形態、及び第８実施形態に記載した技術に適用することもできる。更に、発光シート９３の代わりに、第７実施形態のような発光塗料で構成された発光材７３を台材９２上に塗布してもよい。発光塗料で構成された発光材７３は、密着力を向上させるための適宜のプライマーを台材９２上に塗布してから塗布してもよい。
【０１０３】
ここで、台材９２の底面９２ａにおける少なくとも固定用凸部９８の近傍に切欠部（不図示）を設けておけば、台材９２における切欠部の内側の部分を外側にたわみ易くできるので、突出部６２を貫通孔６３によりスムーズに挿入できるという利点がある。
【０１０４】
上記のように構成された点字部材１１１によれば、第９実施形態と同様の利点がある。
【０１０５】
〔第１２実施形態〕
第１２実施形態に係る誘導ブロック１２１は、図３２に示すように、第４実施形態のような「進行方向」を表す線状ブロックであって、第４実施形態において、点字部材３１、３２の代わりに端部用の第１１実施形態の複数の点字部材１１１及びこれらと同様に構成された中間部用の複数の点字部材１１２をシート材２２上に並設したものである。
【０１０６】
端部用の点字部材１１１における透光カバー材２の露出表面２ｂは、端部用の点字部材３１と同様に構成されている。中間部用の点字部材１１２における透光カバー材２の露出表面２ｂは、中間部用の点字部材３２と同様に構成されている。
【０１０７】
上記のように構成された誘導ブロック１２１においては、点字部材１１１、１１２を使用して第４実施形態と同様に構成されているので、第１１実施形態及び第４実施形態と同様の利点がある。
【０１０８】
なお、複数の点字部材１１１、１１２と共に、透光カバー材２の凹部４内に台材９２及び発光材３等を設けていない複数の点字部材、透光カバー材２にそもそも凹部４を形成しないで台材９２及び発光材３等を設けていない複数の点字部材、又は、従来公知の複数の点字部材を、シート材２２上に適宜の配置形式及び相互間隔で並設してもよい。その他、必要に応じて、第１１実施形態及び第４実施形態に記載した技術をこの実施形態に記載した技術に適用することもできる。
【産業上の利用可能性】
【０１０９】
以上のように、本発明に係る点字部材及び誘導ブロックは、コストダウンを図ると共に、発光材の劣化や発光材から放射される光の輝度の低下を防止するのに適しており、視覚障害者を安全に誘導するために歩道、駅構内、公共施設内、ビル内等に設置される「注意」を表す点状ブロック、「進行方向」を表す線状ブロック等としての誘導ブロック、及びそれに用いられる点字部材として好適に利用することができる。
【図面の簡単な説明】
【０１１０】
【図１】第１実施形態に係る点字部材の縦断面図である。
【図２】図１の点字部材の正面図である。
【図３】図１の点字部材の平面図である。
【図４】図１の点字部材の分解縦断面図である。
【図５】第２実施形態に係る誘導ブロックの平面図である。
【図６】図５の誘導ブロックの正面図である。
【図７】第３実施形態に係る点字部材の長手方向の縦断面図である。
【図８】図７の点字部材の短手方向の拡大縦断面図である。
【図９】図７の点字部材の平面図である。
【図１０】第４実施形態に係る誘導ブロックの平面図である。
【図１１】図１０の下方向から見た誘導ブロックの正面図である。
【図１２】図１０の右方向又は左方向から見た誘導ブロックの拡大側面図である。
【図１３】第５実施形態に係る点字部材の縦断面図である。
【図１４】第６実施形態に係る点字部材の縦断面図である。
【図１５】図１４の点字部材の分解縦断面図である。
【図１６】図１５の透光カバー材の底面図である。
【図１７】図１５の発光材の平面図である。
【図１８】第７実施形態に係る点字部材の縦断面図である。
【図１９】第８実施形態に係る誘導ブロックの一部を示す拡大縦断面図である。
【図２０】第９実施形態に係る点字部材の縦断面図である。
【図２１】図２０の点字部材の正面図である。
【図２２】図２０の点字部材の平面図である。
【図２３】図２０の点字部材の分解縦断面図である。
【図２４】図２３の台材の平面図である。
【図２５】図２３の台材の底面図である。
【図２６】発光シールの縦断面図である。
【図２７】第１０実施形態に係る誘導ブロックの平面図である。
【図２８】第１１実施形態に係る点字部材の短手方向の拡大縦断面図である。
【図２９】図２８の点字部材の平面図である。
【図３０】図２８の透光カバー材の底面図である。
【図３１】図２８の台材の平面図である。
【図３２】第１２実施形態に係る誘導ブロックの平面図である。
【符号の説明】
【０１１１】
１、３１、３２、５１、６１、７１、９１、１１１、１１２  点字部材
２  透光カバー材
２ａ  底面
２ｂ  露出表面
３、７３、９５  発光材
４  凹部
２１、４１、８１、８２、１０１、１２１  誘導ブロック
２２  シート材
５２  滑り止め用凸部
６２  突出部
６２ａ  下端面
６３  貫通孔
８３  下地シート材
８４  シート部
８４ａ  下面
９２  台材
９２ａ  底面
９３  発光シート
９３Ｂ  発光シール
９４  基材
９８  固定用凸部
９９  切欠部
１００  粘着剤
【図１】
2009127302.tif 000003
【図２】
2009127302.tif 000004
【図３】
2009127302.tif 000005
【図４】
2009127302.tif 000006
【図５】
2009127302.tif 000007
【図６】
2009127302.tif 000008
【図７】
2009127302.tif 000009
【図８】
2009127302.tif 000010
【図９】
2009127302.tif 000011
【図１０】
2009127302.tif 000012
【図１１】
2009127302.tif 000013
【図１２】
2009127302.tif 000014
【図１３】
2009127302.tif 000015
【図１４】
2009127302.tif 000016
【図１５】
2009127302.tif 000017
【図１６】
2009127302.tif 000018
【図１７】
2009127302.tif 000019
【図１８】
2009127302.tif 000020
【図１９】
2009127302.tif 000021
【図２０】
2009127302.tif 000022
【図２１】
2009127302.tif 000023
【図２２】
2009127302.tif 000024
【図２３】
2009127302.tif 000025
【図２４】
2009127302.tif 000026
【図２５】
2009127302.tif 000027
【図２６】
2009127302.tif 000028
【図２７】
2009127302.tif 000029
【図２８】
2009127302.tif 000030
【図２９】
2009127302.tif 000031
【図３０】
2009127302.tif 000032
【図３１】
2009127302.tif 000033
【図３２】
2009127302.tif 000034